(57)【要約】【課題】            あらかじめ多種の符号を記入したものを用意しておく必要がなく、かつ広範囲のケーブル径に対応でき、ローコストなケーブル識別表示治具を提供すること。【解決手段】        光、電気等を用いて情報を伝送するケーブルをマーキングするケーブル識別表示治具において、ケーブル外周部を包囲する形状に形成したケーブル識別表示治具１の外側面にマーキングスペース７，８を有し、かつ内側に保持したケーブル６を圧接する機構を有する。【選択図】          図１
2006012485.tif 000002
【特許請求の範囲】
【請求項１】
光、電気等を用いて情報を伝送するケーブルをマーキングするケーブル識別表示治具において、ケーブル外周部を包囲する形状に形成したケーブル識別表示治具の外側面にマーキングスペースを有し、かつ内側に保持したケーブルを圧接する機構を有するケーブル識別表示治具。
【請求項２】
前記ケーブルを圧接する機構は、内側に向けて樹脂バネを突出形成させてなる請求項１記載のケーブル識別表示治具。
【請求項３】
前記ケーブル外周部を包囲する形状は、ヒンジ構造を有する請求項１または請求項２記載のケーブル識別表示治具。
【請求項４】
前記ヒンジ構造に切り欠き構造を有する請求項１ないし請求項３記載のケーブル識別表示治具。
【請求項５】
前記ケーブル外周部を包囲する形状は、クランプ機構を有する請求項１ないし請求項４のいずれか１項に記載のケーブル識別表示治具。
【請求項６】
前記マーキングスペースに、２μｍ〜３００μｍのシボを有する請求項１ないし請求項５のいずれか１項に記載のケーブル識別表示治具。
【発明の詳細な説明】
【技術分野】
【０００１】
本発明は、電線、光ファイバー、ＬＡＮ等のケーブルや管等を接続・配線するに際して、各ケーブルや管を個別的に識別するために、このケーブルや管に装着されるケーブル識別表示治具に関する。
【背景技術】
【０００２】
複数の装置間をケーブルで接続して信号の授受を行うことによって、各装置の制御を行い、それらの装置を有するシステムを所望の操作で稼働させることは、従来からよく見られる形態である。特にコンピュータとその周辺機器の接続や、ＬＡＮ等のネットワークの構築において、ケーブルを用いた装置間の接続は一般的である。特に、電話局における交換伝送設備に用いられるＥｔｈｅｒｎｅｔ（登録商標）装置、ＬＡＮ環境におけるＨＵＢ装置等においては、多数のケーブルが接続されており、それが複数存在するために、接続されたケーブルを識別するのが難しく、ケーブルを識別できる表示治具が求められている。
【０００３】
従来、ケーブル識別用の表示治具は、例えば割れ目を有するパイプ状の電線表示環が用いられていた。この電線表示環は割れ目の反対側外周に予め文字、記号、数字等の符号を墨入れやホットスタンプなどにより１文字ごとに表示した樹脂製のものであって、使用に際しては必要な符号の表示環（表示治具）を適宜選択して、割れ目を拡げるようにしてケーブルに順次嵌め込み数個集めて１群として使用している。（特許文献１参照）
ところが、これによるときは、１つの意味を表すために多数の表示環（表示治具）をケーブルに嵌め込まねばならず作業能率が極めて悪いという欠点があった。また、予め多種の符号を表示したものを用意しておかなければならないとともに、ケーブルの径に対応した多種のサイズを用意しておかなければならなかったので、コストが高くなるという欠点があった。
【０００４】
そこで、作業性を改善する目的で、割れ目を有するパイプ状の表示治具本体の割れ目と反対側の外周に多数の符号を表示する表示体や符号板を嵌挿あるいは挿入して、１文字ずつ嵌め込まなくとも済むように改良したものが考案されている。（特許文献２、特許文献３参照）
【特許文献１】実公昭３７−５９４８号公報
【特許文献２】実公昭５１−６６６７号公報
【特許文献３】実公昭５３−３８８６０号公報
【発明の開示】
【発明が解決しようとする課題】
【０００５】
しかし、この特許文献２または特許文献３に記載されたものは、特許文献１に記載したものと同様にあらかじめ多種の符号を記入したものを用意しておかなければならないとともに、ケーブルの径に対応した多種のサイズを用意しておかなければなかったので、コストが高くなるという欠点が残っていた。
【０００６】
本発明は、このような従来の表示治具を改良することを課題とするものであり、あらかじめ多種の符号を記入したものを用意しておく必要がなく、かつ広範囲のケーブル径に対応でき、ローコストなケーブル識別表示治具を提供することを目的とする。
【課題を解決するための手段】
【０００７】
この目的を達成するため、本発明は、光、電気等を用いて情報を伝送するケーブルをマーキングするケーブル識別表示治具において、ケーブル外周部を包囲する形状に形成したケーブル識別表示治具の外側面にマーキングスペースを有し、かつ内側に保持したケーブルを圧接する機構を有するケーブル識別表示治具を提供するものである。
【０００８】
この構成を備えたケーブル識別表示治具は、外側面に有するマーキングスペースに手書きまたはテープ貼り付けなどマーキングすることができるとともに、ケーブルを圧接する機構を有するので広範囲のケーブル径に対応できる。
【０００９】
また、本発明にかかるケーブル識別表示治具のケーブルを圧接する機構は、内側に向けて樹脂バネを突出形成させてなる構成とすることができる。
【００１０】
この構成によれば、内側に向けて突出形成した樹脂バネがケーブルを押圧するので確実にケーブルを保持することができる。
【００１１】
また、前記ケーブル外周部を包囲する形状は、ヒンジ構造を有する構成とすることが望ましい。
【００１２】
この構成によれば、開いた状態のケーブル識別表治具を、ヒンジを屈曲させてケーブルを包囲するように容易に閉じることができる。
【００１３】
また、前記ヒンジ構造に切り欠き構造を有する構成とすることが望ましい。
【００１４】
この構成によれば、ヒンジの大きさを少なくすることができるから、ケーブル識別表治具を閉じる操作をしやすくしている。
【００１５】
さらにまた、前記ケーブル外周部を包囲する形状は、クランプ機構を有する構成とすることができる。
【００１６】
この構成によれば、クランプ機構を有するので、ケーブル識別表治具を閉じたとき、ケーブルを保持した状態を維持することができる。
【００１７】
また、前記マーキングスペースに、２μｍ〜３００μｍのシボを有する構成とすることが望ましい。
【００１８】
この構成によれば、マーキングスペースに、手近にある鉛筆や油性マジック等で手書きによりマーキングすることができる。
【発明の効果】
【００１９】
本発明にかかるケーブル識別表示治具は、外側面に有するマーキングスペースに手書きまたはテープ貼り付けなどマーキングすることができるから、あらかじめ多種の符号を記入したものを用意しておく必要がなく、かつケーブルを圧接する機構により広範囲のケーブル径に対応でき、ローコストなケーブル識別表示治具を提供することができるという効果を有する。
【発明を実施するための最良の形態】
【００２０】
次に、本発明の好適な実施の形態にかかるケーブル識別表示治具について図面を参照して説明する。なお、以下に記載される実施の形態は、本発明を説明する種の例示であり、本発明をこれらの実施の形態にのみ限定するものではない。したがって、本発明は、その要旨を逸脱しない限り、様々な形態で実施することができる。
【００２１】
図１は、本発明の実施の形態にかかるケーブル識別表示治具の斜視図、図２は、図１に示すケーブル識別表示治具の平面図、図３は、同底面図、図４は図２のＡ−Ａ断面図、図５は図２に示すケーブル識別表示治具の小径のケーブル保持時の使用状態を示す側面図、図６は図５の断面図であり、図７は図２に示すケーブル識別表示治具の大径のケーブル保持時の使用状態を示す側面図であり、図８は図７の断面図である。
【００２２】
図１〜図８に示すように、本発明の実施の形態にかかるケーブル識別表示治具１は、２つのヒンジ２、３を介して接続された略半円筒形の第一の包囲部材４と第二の包囲部材５よりなり、ヒンジ２，３を屈曲するように第一の包囲部材４と第二の包囲部材５を閉じることにより、図１に示すケーブル６外周部を包囲して収納し保持する（図５，図７参照）。
【００２３】
ケーブル識別表示治具１は、図３に示したように第一の包囲部材４と第二の包囲部材５の外側面にマーキングスペース７，８を形成し、このマーキングスペース７，８に手書きまたはテープ貼り付けなどマーキングすることができるようにしている。このマーキングスペース７，８には、２μｍ〜３００μｍのシボ（例えば株式会社日本エッチング社製のＨＮ１００１，株式会社棚澤八光社製のＴＨ−１２８Ａ、同ＴＨ−１７５Ａ、同ＴＨ−５０９、同ＴＨ−３３４Ａ）を形成して、手近にある鉛筆や油性マジック等で手書きによりマーキングすることができるようにしている。
【００２４】
ヒンジ２とヒンジ３の間に形成した中間部材１５には、第一の包囲部材４と第二の包囲部材５を閉じたときに収納したケーブル６の保持力を高めるため、斜め上方に向けて（内側に向けて）樹脂バネ９、１０を突出形成している（図１参照）。中間部材１５の壁をコの字状に切り欠いて樹脂バネ９、１０を形成することにより成型用の金型を製作しやすくし、金型のコストを下げている。
【００２５】
第一の包囲部材４のヒンジ部２の反対側の略半円筒状外壁部には先端に係止爪１６を有する係止フック１１を形成し、もう一方の第二の包囲部材５にはケーブル識別表示治具１を閉じたとき係止フック１１の係止爪１６と係合する係止段部１２を設けて、クランプ機構を有する構成としている（図４，図７、図８参照）。
【００２６】
上述のように第一の包囲部材４と第二の包囲部材５は２つのヒンジ２，３を介して接続しているので屈曲させやすく、閉じる操作をしやすくしている。さらに、ヒンジ部２，３には、切り欠き１４を形成して、ヒンジの大きさを小さくして第一の包囲部材４と第二の包囲部材５を閉じる操作を一段としやすくしている。
【００２７】
上記本発明のケーブル識別表示治具１は、適度の弾性と硬性を有するプラスチック（例えばポリアミド、ポリアセタール等で形成される。
【００２８】
次にケーブル識別表示治具の使用方法について説明する。
【００２９】
上記本発明のケーブル識別表示治具１を用いて、ケーブル６を収納、保持するには、開いた状態のケーブル識別表示治具１をケーブル６に当接させてから、ケーブル６の外周部を包囲するように、閉じる。この閉じた時、第一の包囲部材４の係止フック１１が第二の包囲部材５の係止段部１２に係合して、閉じた状態は確実に保持される。また、この閉じた状態において、樹脂バネ９、１０がケーブル６を押圧するので、ケーブル６はケーブル識別表示治具１の内壁に押圧された状態で保持され、当該表示治具１がケーブルに沿って横ずれすることを防止できる。また、この樹脂バネ９、１０の作用によりケーブル６の径が多少変化した場合でも対応できる。例えば、ケーブル６が小径の場合には、図５に示したように樹脂バネ９，１０がケーブル６を適度に押圧するように撓んで保持し、ケーブル６の径が多少大きくなった場合には図７に示したように樹脂バネ９，１０は表示治具の表面の位置まで撓んでケーブル６を保持することができる。
【００３０】
なお、特許文献１に記載された割れ目を有するパイプ状の電線表示環は、別途作成した挿入治具等で割れ目を拡大して装着するものであったので、挿入治具が無いと作業性が悪くなるのに対し、本発明のケーブル識別表示治具１は単に閉じる操作でケーブル６に装着できるので、挿入治具を別途作成する必要がない。
【００３１】
上記のように当該表示治具１をケーブル６に取り付けた後、マーキングスペース７，８に手書き、テープ貼り付けなどによりマーキングを行う。
【００３２】
図５〜図８に記載したケーブル６を保持した状体において、ケーブル６からケーブル識別表示治具１を外す必要が生じた場合には、係止フック１１を外側に撓ませて係止フック１１と係止段部１２の係合を解除してから、第一の包囲部材４と第二の包囲部材５を開けば良い。
【００３３】
前記実施例において、ケーブルを圧接する機構として、樹脂バネを例示したが、これに限定されるわけではなく、樹脂バネに代えて例えばコイルバネや金属製の板バネ、あるいはクッション材などを接着等により、取り付けて用いても良い。
【００３４】
また、前記実施例において、クランプ機構として、第一の包囲部材４の先端に係止爪１６を有する係止フック１１を形成し、もう一方の第二の包囲部材５には係止フック１１の係止爪１６と係合する係止段部１２を設けた構成（つまり係止爪側が可動）を例示したが、これに限定されるわけではなく、例えば第二の包囲部材５に固定係止爪を設けて、第一の包囲部材４の係止フック１１に第二の包囲部材５の固定係止爪に係止する切り欠きを設けた構成（つまり係止爪側が固定）としても良い。
【図面の簡単な説明】
【００３５】
【図１】本発明の実施の形態にかかるケーブル識別表示治具の斜視図である。
【図２】図１に示すケーブル識別表示治具の平面図である。
【図３】図１に示すケーブル識別表示治具の底面図である
【図４】図２のＡ−Ａ断面図である。
【図５】図２に示すケーブル識別表示治具の使用状態を示す側面図であって、小径のケーブル保持時を示す。
【図６】図５の断面図である。
【図７】図２に示すケーブル識別表示治具の使用状態を示す側面図であって、大径のケーブル保持時を示す。
【図８】図７の断面図である。
【符号の説明】
【００３６】
１    ケーブル識別表示治具
２    ヒンジ
３    ヒンジ
４    第一の包囲部材
５    第二の包囲部材
６    ケーブル
７    マーキングスペース
８    マーキングスペース
９    樹脂バネ
１０  樹脂バネ
１１  係止フック
１２  係止段部
１４  切り欠き
【図１】
2006012485.tif 000003
【図２】
2006012485.tif 000004
【図３】
2006012485.tif 000005
【図４】
2006012485.tif 000006
【図５】
2006012485.tif 000007
【図６】
2006012485.tif 000008
【図７】
2006012485.tif 000009
【図８】
2006012485.tif 000010